(57)【特許請求の範囲】
【請求項１】
圃場の根菜を引き上げて葉切り処理する収穫部（３）を走行機体（２）の横一側に配備し、走行機体（２）の横他側の前部に操縦部（６）を配備し、収穫部（３）の後部から排出された根菜本体を載置して横他側方に向けて搬送する横搬送装置（３３）を走行機体（２）の後部に配備し、
前記操縦部（６）の後方に位置する機体後端部に、前記横搬送装置（３３）からの根菜本体を回収するコンテナの設置部（Ｄ１）を備えるとともに、この回収用コンテナ設置部（Ｄ１）と前記操縦部（６）との間に、回収用コンテナ設置部（Ｄ１）と同高さのコンテナ置き場（Ｄ２）を設け、
走行機体（２）の横他側端には、前記操縦部（６）から前記回収用コンテナ設置部（Ｄ１）とに亘る長さを有するコンテナ載置用の補助デッキ（３５）を設けるとともに、この補助デッキ（３５）を、回収用コンテナ設置部（Ｄ１）およびコンテナ置き場（Ｄ２）と同高さで機体外方に張出す作用姿勢と、機体内方に退入する格納姿勢とに切換え可能に構成し、前記横搬送装置（３３）よりも前側で、且つ前記コンテナ置き場（Ｄ２）の収穫部（３）側位置に空コンテナ置き場（Ｄ３）を設けるとともに、この空コンテナ置き場（Ｄ３）を前記横搬送装置（３３）よりも高く、且つ前記操縦部（６）に配備した運転座席（５）よりも低く構成してあることを特徴とする乗用型根菜類収穫機。
【請求項２】
前記空コンテナ置き場（Ｄ３）の前後長を左右幅よりも長く構成してあることを特徴とする請求項１記載の乗用型根菜類収穫機。
【発明の詳細な説明】
【０００１】
【発明の属する技術分野】
本発明は、人参、大根、玉ねぎ、などの根菜類を対象とした乗用型の収穫機に関する。
【０００２】
【従来の技術】
上記乗用型根菜類収穫機としては、例えば特開平９−３７６３０号公報に開示されているように、圃場の根菜を引き上げて葉切り処理する収穫部を走行機体の横一側に配備するとともに、走行機体の横他側に操縦部を配備し、収穫部の後部から排出された根菜本体を搬送装置に載置して後方に搬送した後、コンテナに収容して回収するよう構成したものが知られている。
【０００３】
この収穫機においては、搬送装置で搬送されてきた根菜本体を回収するコンテナの設置部が機体後端に設けられて、機体後方から歩行追従してくる補助作業者が満杯となったコンテナを、操縦部と収穫部との間のコンテナ置き場に前後に並べ置くとともに、収穫部が配備されている側の機体横外側に張出し配備した補助デッキに空のコンテナを載置保管し、逐次空のコンテナを回収用のコンテナ設置部に移し替えるようにしていた。
【０００４】
【発明が解決しようとする課題】
上記従来構造においては、搬送装置の後部に位置する回収用コンテナ設置部で満杯になったコンテナは機体上のコンテナ置き場に移動させることになるが、回収用コンテナ設置部からの満杯コンテナを受け入れる箇所がコンテナ置き場終端部の一個所しかなく、コンテナ置き場終端を常に空けておくようにコンテナ置き場で満杯コンテナを移動させておく必要があり、補助作業者が一人の場合には、補助作業者が極めて忙しくなるものであった。
【０００５】
なお、補助デッキに満杯コンテナを移載するようにすれば、回収用コンテナ設置部からの満杯コンテナを受け入れる箇所が左右２個所形成されて作業性が向上するのであるが、補助デッキが収穫部側に張出しているので、ここに重量の大きい満杯コンテナを載せると左右重量バランスが悪化することになり、機体バランスの上から好ましくなく、実施上は、補助デッキは空コンテナの置き場としか利用できないものである。
【０００６】
本発明は、このような点に着目してなされたものであって、回収部を合理的に配置構成することで、コンテナの移し替え作業を手際よく行えるようにすることを主たる目的とする。
【課題を解決するための手段】
〔請求項１に係る発明の構成、作用および効果〕
【０００７】
（構成）  請求項１に係る発明の乗用型根菜類収穫機は、圃場の根菜を引き上げて葉切り処理する収穫部を走行機体の横一側に配備し、走行機体の横他側の前部に操縦部を配備し、収穫部の後部から排出された根菜本体を載置して横他側方に向けて搬送する横搬送装置を走行機体の後部に配備し、前記操縦部の後方に位置する機体後端部に、前記横搬送装置からの根菜本体を回収するコンテナの設置部を備えるとともに、この回収用コンテナ設置部と前記操縦部との間に、回収用コンテナ設置部と同高さのコンテナ置き場を設け、走行機体の横他側端には、前記操縦部から前記回収用コンテナ設置部とに亘る長さを有するコンテナ載置用の補助デッキを設けるとともに、この補助デッキを、回収用コンテナ設置部およびコンテナ置き場と同高さで機体外方に張出す作用姿勢と、機体内方に退入する格納姿勢とに切換え可能に構成し、前記横搬送装置よりも前側で、且つ前記コンテナ置き場の収穫部側位置に空コンテナ置き場を設けるとともに、この空コンテナ置き場を前記横搬送装置よりも高く、且つ前記操縦部に配備した運転座席よりも低く構成してあることを特徴とする。
【０００８】
（作用）  上記構成によると、回収用コンテナ設置部の前方と横外方に、コンテナ置き場と張出し作用姿勢の補助デッキ後部がそれぞれ回収用コンテナ設置部と同高さで位置することになり、回収用コンテナ設置部で満杯になったコンテナは、前方のコンテナ置き場か、横側方の補助デッキ後部のいずれか空いている方に移動させることができる。この場合、回収用コンテナ設置部とコンテナ置き場、および補助デッキは同高さであるので、重い満杯コンテナを持上げることなく速やかに移動させることができる。
【０００９】
また、回収用コンテナ設置部の前方のコンテナ置き場は、前後に長い補助デッキの前後中間部位に連なるので、コンテナ置き場の満杯コンテナを補助デッキに移載すれば、次の満杯コンテナの受け入れ状態にコンテナ置き場を空けておくことができる。また、補助デッキの後部で受取った満杯コンテナを補助デッキの前側に移動しておくことで、次の満杯コンテナの受け入れ状態に補助デッキ後部を空けておくことができる。
【００１０】
回収用コンテナ設置部のコンテナが満杯になると、満杯コンテナを前方のコンテナ置き場あるいは横外方の補助デッキ後部に移動させた後、搬送装置前方で、且つ前記コンテナ置き場の収穫部側に位置する空コンテナ置き場に積載した空コンテナを回収用コンテナ設置部に移し替えて、次の回収を行う。
【００１１】
上記構成によると、空コンテナ置き場がこの後方に設けた搬送装置よりも高く、且つ操縦部に配備した運転座席よりも低くしてあるために、機体後方から手を伸ばして搬送装置越しに空コンテナを取出す操作が容易となる。
【００１２】
（効果）  従って、請求項１に係る発明によると、回収用コンテナ設置部の前方と横外側方の二個所に満杯コンテナを受け入れる場所を備えてあるので、次の満杯コンテナの移動までにいずれか一方の受け入れ場所を空けておけばよく、一人の補助作業者でも、軽快かつ手際よくコンテナ移動を行って能率よく回収作業を行うことができるようになった。
【００１３】
請求項１に係る発明によると、搬送装置の後方に位置している補助作業者の前方に空コンテナ置き場があるので、機体後方から手を伸ばして搬送装置越しに空コンテナを取出すことができるとともに、空コンテナ置き場の、収穫部とは反対側の横方向に位置するコンテナ置き場側からも空コンテナを容易に取出すことができ、回収用コンテナ設置部に移し替える操作を簡単に行うことができる。
【００１４】
〔請求項２に係る発明の構成〕
【００１５】
（構成）  請求項２に係る発明の乗用型根菜類収穫機は、請求項１の発明において、前記空コンテナ置き場の前後長を左右幅よりも長く構成してあることを特徴とする。
【００１６】
【発明の実施の形態】
図１および図２に、本発明に係る根菜類収穫機の一例である人参収穫機の全体側面および全体平面がそれぞれ示されている。この根菜類収穫機は、左右一対のクローラ式の走行装置１で走行する走行機体２の左側に、畝立てされた圃場で栽培された１条の人参Ｗを引上げ搬送して葉切り処理し、人参本体Ｗａを回収する収穫部３が配備されるとともに、走行機２体の右側前部に、エンジン４を運転座席５の下方に収容した操縦部６が配置され、かつ、この操縦部６の後方から収穫部３の右横側にかけてのスペースに、葉切り収穫した人参本体Ｗａをコンテナ詰めする回収部７が設けられている。
【００１７】
前記収穫部３は、圃場に植えられ人参Ｗの葉茎Ｗｂをすくい上げる分草具１１、すくい上げられた葉茎Ｗｂを大きく引き上げる葉茎引上げ装置１２、引上げられ葉茎Ｗｂを挟持して後方上方に引上げ搬送する挟持引上げ搬送装置１３、挟持引上げ搬送装置１３の始端部近くにおいて人参Ｗの横側の土を切り崩す刃体１４、挟持引上げ搬送装置１３によって挟持されて吊り下げ搬送される人参Ｗの高さを揃える位置揃え装置１５、位置揃えされた人参Ｗの葉茎Ｗｂを受取って後方へ挟持搬送する葉切り挟持搬送装置１６、この葉切り挟持搬送装置１６の上方に位置して葉茎Ｗｂを後方に挟持搬送する葉茎搬送装置１７、葉切り挟持搬送装置１６で挟持されて吊り下げ搬送される人参Ｗの葉茎Ｗｂを切断するカッタ１８、等を備えている。また、上記各装置を支持した収穫部フレーム１９は走行機体２の後部上方の支点Ｐを中心に上下揺動可能に支持されるとともに、油圧シリンダ２０によって駆動昇降されるようになっており、これら各装置の構造および機能を以下に説明する。
【００１８】
葉茎引上げ装置挟持１２は、縦回し駆動されるチェーン２１に多数の係止爪２２を取付けて構成されており、葉茎Ｗｂを係止して引き上げて、もれなく挟持引上げ搬送装置１３の始端部に導く。
【００１９】
挟持引上げ搬送装置１３は、互いに内向きに回転駆動される左右一対の幅広の搬送ベルト２３で構成されており、搬送始端部から位置揃え装置１５の前端に相当する部位までの搬送範囲では、圃場の人参Ｗを引き上げることができる強い葉茎挟持力がもたらされるように、両搬送ベルト２３の対向部位は互いに接近する方向に強く弾性付勢され、また、それ以降の搬送範囲では、挟持した葉茎Ｗｂを下方に引き抜きできる程度に両搬送ベルト２３の対向部位が弱く弾性付勢されている。
【００２０】
図８、図９、図１０に示すように、位置揃え装置１５は、互いに内向きに回転駆動される左右一対のローラ付きの搬送チェーン２４で構成されており、両搬送チェーン２４の対向部位には、搬送方向に沿った軸心周りに遊転自在、かつ、バネ２５によって対向する方向にスライド付勢されたローラ２６群が備えられている。このように構成された位置揃え装置１５は、人参Ｗが後方上方に移動する間に、人参本体Ｗａの上昇を位置規制ガイドとしての左右のローラ２６によって受止め規制してその高さを揃えるものであり、挟持引上げ搬送装置１３と位置揃え装置１５との上下間隔が搬送下手側ほど広くなるように、位置揃え装置１５は挟持引上げ搬送装置１３よりも緩い後ろ上がり傾斜姿勢で配備されている。
【００２１】
葉切り挟持搬送装置１６は、互いに内向きに回転駆動される左右一対の搬送ベルト２７で構成されており、位置揃えされた人参本体Ｗａの直上方箇所において葉茎Ｗｂを挟持して位置揃え装置１５と平行に搬送する。
【００２２】
葉茎搬送装置１７は、横回し駆動される搬送チェーン２８とこれに対向する案内レール２９とで構成されており、挟持引上げ搬送装置１３から葉茎Ｗｂを受け継いで葉切り挟持搬送装置１６とともに後方に挟持搬送し、葉切り挟持搬送装置１６より後方にまで搬送して放出する。
【００２３】
カッタ１８は、位置揃え装置１５の直後方位置で、位置規制ガイドとしてのローラ２６と略同レベルに配備されており、ローラ２６の下面に受け止められて位置揃えされた人参本体Ｗａの直上近くにおいて葉茎Ｗｂを切断するように構成されている。
【００２４】
なお、上記各部の駆動構造は、図４および図５の伝動系統図中に示されており、図中の符号８は、エンジン４からの動力を受ける走行系の主変速装置である油圧式無段変速装置、９は、その変速出力をギヤ変速して左右の走行装置１に伝達するミッションケースである。
【００２５】
収穫部３は以上のように構成されており、その作動を以下に説明する。この例の場合、図１２に示すように、人参Ｗは平畝に４条ずつ栽培されており、機体右側を既掘り側として走行機体２を前進走行させて栽培条の右側のものから順に１条ずつ引き抜き収穫してゆくことになる。
【００２６】
機体前進に伴って、先ず、人参の葉茎Ｗｂを分草具１１ですくい上げて、葉茎引上げ装置１２の作用域に導き、前方に突出して上方に移動する係止爪２２によって葉茎Ｗｂを大きく引き上げ束ねて、挟持引上げ搬送装置１３における左右の搬送ベルト２３の始端部に案内する。葉茎Ｗｂが左右の搬送ベルト２３による強い挟持力で挟持されて後方上方に持上げられることにより、人参Ｗは畝から引き上げられて吊り下げ搬送されてゆく。この場合、挟持引上げ搬送装置１３の直前で人参Ｗの周囲の土が刃体１４によって切り崩されて膨軟化しているので、挟持引上げ搬送装置１３による人参Ｗの引き上げ抵抗は比較的小さいものとなっている。
【００２７】
挟持引上げ搬送装置１３による吊り下げ搬送が進むと、人参Ｗの葉茎Ｗｂは位置揃え装置１５における左右の搬送チェーン２４におけるローラ２６の間に導かれ、挟持引上げ搬送装置１３と位置揃え装置１５との協働で後方に搬送されてゆく。この場合、搬送下手側ほど位置揃え装置１５に対して挟持引上げ搬送装置１３が次第に上方に離れてゆくとともに、位置揃え装置１５における挟持作用部位はローラ２６の回転によって葉茎Ｗｂの上方移動が容易となっているので、吊り下げ搬送されてゆく人参本体Ｗａは次第に引き上げられて位置揃え装置１５の下面に接近し、上昇位置規制ガイドとしてのローラ２６に人参本体Ｗａの上端が受止め支持された状態、つまり、人参本体Ｗａの高さ位置が揃えられた状態となる。そして、それ以降では、挟持引上げ搬送装置１３における搬送ベルト２３の弱い挟持力により、後方への搬送を行いながら葉茎Ｗｂの下方への相対すり抜け移動が許容される。
【００２８】
位置揃え装置１５の終端近くにおいては、位置揃えされた人参Ｗの葉茎Ｗｂが葉切り挟持搬送装置１６および葉茎搬送装置１７に受け渡され、カッタ１８によって人参本体Ｗａの直上箇所で葉切りが行われる。そして、葉切りされた人参本体Ｗａは落下して後述する回収処理を受け、また、切断された葉茎Ｗｂは葉切り挟持搬送装置１６および葉茎搬送装置１７で搬送された後、葉茎搬送装置１７のみによって更に後方にまで挟持搬送されて、その終端から放出され、後述するような排出処理を受ける。
【００２９】
次に、前記回収部３の構造について説明する。この回収部３には、葉切り処理されて落下してきた人参本体Ｗａを受け止めて後方に載置搬送する幅広ベルトからなる後方搬送装置３１と、これに載置されて後方に搬送される人参本体Ｗａを受止め案内して右横方向に導くガイド部材としての駆動回転式のガイドローラ３２と、このガイドローラ３２によって案内されて後方搬送装置３１の後部から右側に送り出された人参本体Ｗａを載置して右横方向（既掘り側）に強制搬送しながら、屑人参、ゴミ、土、などを落下させるスラット型の選別用コンベアで構成された横搬送装置３３、等の装置類が設置されるとともに、横搬送装置３３の終端右側には、このコンベア３３から排出された人参本体Ｗａを受取り回収するコンテナＣを置く回収用コンテナ設置部Ｄ1 が設けられるとともに、その前方箇所にはコンテナＣを載置しておくことのできるコンテナ置き場Ｄ2 が、回収用コンテナ設置部Ｄ1 と同レベルに設置されている。
【００３０】
更に、走行機体２の右側端には、回収用コンテナ設置部Ｄ1 から操縦部６の横側に亘る長さの補助デッキ３５が、回収用コンテナ設置部Ｄ1 およびコンテナ置き場Ｄ2 に連なる水平張出し作用姿勢と、上方に折り込み起立した格納姿勢とに切換え回動可能に配備されている。
【００３１】
また、横搬送装置３３の前側には、走行用のミッションケース９や収穫部３への動力伝達構造を覆う箱形の伝動部カバー３６が横搬送装置３３より高く配備されており、この伝動部カバー３６の上が空コンテナ置き場Ｄ3 となっている。
【００３２】
なお、図３に示すように、回収用コンテナ設置部Ｄ1 には、空のコンテナＣを斜めに装填して、横搬送装置３３からの人参本体Ｗａを落下衝撃少なく受け止め回収するとともに、回収が進んで重量が重くなるに連れてゆっくりと下降させてゆくコンテナ支持台３７が必要に応じて備えられる。
【００３３】
以上のような回収部３では、以下のような回収作業が行われる。この収穫機では、機体を操縦する運転作業者の他に、一人あるいは二人の回収用の補助作業者がつく。この補助作業者は基本的には走行機体２の後方や右横外方を歩行追従することになり、横搬送装置３３で載置搬送されてくる良品の人参Ｗを目視仕分けしながら回収用コンテナ設置部Ｄ1 に装填したコンテナＣに収容し、満杯になったコンテナＣを前方のコンテナ置き場Ｄ2 や補助デッキ３５の後部上に移動させるとともに、機体後方より選別用コンベア３３越しに手を伸ばして、空コンテナ置き場Ｄ3 に積載した空のコンテナＣを回収用コンテナ設置部Ｄ1 に移し替えるようなコンテナ移動作業を行う。なお、空のコンテナＣの積載は空コンテナ置き場Ｄ３に限られるものではなく、コンテナ置き場Ｄ2 や補助デッキ３５の一部を空コンテナＣの置き場として利用する、等、コンテナＣの載置形態は必要に応じて任意に変更すればよい。
【００３４】
次に、前記葉茎搬送装置１７の終端から放出された切断葉茎ｗｂの処理構造について説明する。葉茎搬送装置１７の下方には、葉茎搬送装置１７の終端から放出されて自重落下する切断葉茎ｗｂを受け止めて前記ガイド部材３２より後方に空いた後方搬送装置３１の上に流下案内する供給シュート３８が設けられるとともに、３１の後方には、後方搬送装置３１の後部で載置搬送されて後方に放出された切断葉茎ｗｂを受け止めて機体右側、つまり、既に収穫が済んだ既掘り側に向けて案内流下する放出シュート３９が設置されている。
【００３５】
この構造によると、後方搬送装置３１に載置されて強制搬送された切断葉茎ｗｂは、横搬送装置３１の終端から勢いをもって後方に排出されるので、放出シュート３９でも勢いよく流下することになり、放出シュート３９の終端から既掘り側に向けて大きい飛距離で放出されてゆく。つまり、次に収穫する未掘り条から遠く離れた位置に放置されてゆくことになる。
【００３６】
この収穫機には、収穫走行に伴って既掘り側の畝の一部を削り取って畝間の溝に供給して埋めてゆく排土装置４１が備えられている。図１、図２に示すように。収穫部フレーム１９の右側（既掘り側）の側面に、支点ａ周りに上下揺動可能に支持アーム４２が装着され、この支持アーム４２の前端に、横幅の広い排土板４３が平面視で右端が前方に先行する傾斜姿勢に取付けられ、機体前進に伴って畝の一部を削り取って左側（未掘り側）の走行装置１の前方に案内供給する排土装置４１が構成されている。また、前記支持アーム４２の遊端部と収穫部フレーム１９とに亘って、高さ調節用のアクチュエータとしての電動シリンダ４４が架設され、この電動シリンダ４４の伸縮によって収穫部３に対する排土装置４１の高さ位置を任意に変更調節することが可能となっている。
【００３７】
この排土装置４１によると、図１２に示すように、左側（未掘り側）の走行装置１が畝間の溝ｍに位置するような場合、排土板４３で削り取った土を溝ｍに落し入れて埋めることで、左側の走行装置１が溝ｍに落ち込んで走行機体２が大きく左側に傾くようなことが抑制される。そして、一行程の収穫走行が済むと走行機体２を後進させて次の条の始端に移動することになり、この後進においては収穫部３を上昇させるので、排土装置４１も一緒に上昇することになり、再び収穫部３を作業レベルにまで下降させると排土装置４１も作用高さになる。また、操縦部６でのスイッチ操作によって電動シリンダ４４を伸縮作動させることで、排土装置４１の作用高さを変更調節して削り取り深さを変更し、溝の深さや土質に応じた埋め戻しを行うことができる。また、埋め戻しの必要のない場合には、排土装置４１を大きく上昇待避させておけばよい。
【図面の簡単な説明】
【図１】根菜類収穫機の一例である人参収穫機の全体側面図
【図２】人参収穫機の全体平面図
【図３】人参収穫機の背面図
【図４】伝動系統図
【図５】伝動系統図
【図６】収穫部の要部を示す縦断側面図
【図７】収穫部の要部を示す平面図
【図８】収穫部の要部を示す縦断正面図
【図９】収穫部の要部を示す縦断正面図
【図１０】位置揃え装置の一部を示す平面図
【図１１】収穫部の後部を示す側面図
【図１２】収穫作業状態を示す正面図
【符号の説明】
２              走行機体
３              収穫部
５              運転座席
６              操縦部
３３            横搬送装置
３５            補助デッキ
Ｃ              コンテナ
Ｄ１            回収用コンテナ設置部
Ｄ２            コンテナ置き場
Ｄ３            空コンテナ置き場
Ｗ              根菜（人参）
Ｗａ            根菜本体
【図１】
0003630637.tif 000002
【図２】
0003630637.tif 000003
【図３】
0003630637.tif 000004
【図４】
0003630637.tif 000005
【図５】
0003630637.tif 000006
【図６】
0003630637.tif 000007
【図７】
0003630637.tif 000008
【図８】
0003630637.tif 000009
【図９】
0003630637.tif 000010
【図１０】
0003630637.tif 000011
【図１１】
0003630637.tif 000012
【図１２】
0003630637.tif 000013